【手続補正書】
【提出日】平成20年9月1日(2008.9.1)
【手続補正１】
【補正対象書類名】特許請求の範囲
【補正対象項目名】全文
【補正方法】変更
【補正の内容】
【特許請求の範囲】
【請求項１】
複数のマクロブロックをマクロブロック群として割り当てることができる、複数のマクロブロックに分割可能な画像のビデオ・データをエンコードする装置であって、
モーション・アクティビティ検出器と、
前記モーション・アクティビティ検出器への前記ビデオ・データの入力に応答して、フレーム・モードまたはフィールド・モードの一方でのエンコードに前記マクロブロック群を割り当てるエンコーダと、
を含む、前記装置。
【請求項２】
前記マクロブロック群が、スーパー・マクロブロック（スーパーＭＢ）である、請求項１に記載の装置。
【請求項３】
前記モーション・アクティビティ検出器が、帯域通過／高域フィルタである、請求項２に記載の装置。
【請求項４】
マクロブロック適応フレーム／フィールド（ＭＢＡＦＦ）判定が、画像に対する前記帯域通過／広域フィルタの適用に応答して行われる、請求項３に記載の装置。
【請求項５】
前記スーパーＭＢが複数の画素を含み、前記エンコーダが、帯域通過／高域フィルタの適応性しきい値を使用して前記複数の画素の少なくとも一部をエッジ画素として分類し、エッジ画素を加算してその合計を求め、前記合計を別の事前に指定されたしきい値と比較して、前記スーパーＭＢがフレーム・モードに分類されるかフィールド・モードに分類されるかを判定する、請求項３に記載の装置。
【請求項６】
スーパー・マクロブロック（スーパーＭＢ）に分割可能な画像のビデオ・データをエンコードする装置であって、
スーパーＭＢに垂直に適用される帯域通過／高域フィルタを使用してピクチャ適応フレーム／フィールド（ＰＡＦＦ）判定を実行して、前記スーパーＭＢのそれぞれを画像内の動き領域または非動き領域として分類するエンコーダを含み、
前記ＰＡＦＦ決定が、画像内の動き領域として分類されたスーパーＭＢの割合に基づいて行われる、前記装置。
【請求項７】
前記帯域通過／高域フィルタが、モーション・エッジを真のエッジと区別するように選択された適応性しきい値を使用する、請求項６に記載の装置。
【請求項８】
前記しきい値が、フレームごと、ＧＯＰ（Ｇｒｏｕｐ  ｏｆ  Ｐｉｃｔｕｒｅ）ごと、またはシーンごとに適応可能である、請求項７に記載の装置。
【請求項９】
前記帯域通過／高域フィルタが、１フィールド画像に適用され、前記適応性しきい値が、前記１フィールド画像内のエッジ画素の数が別のしきい値より小さい場合に選択される、請求項７に記載の装置。
【請求項１０】
前記エンコーダが、さらに、しきい値処理の前にスーパーＭＢ内での位置および隣接する画素との相関の少なくとも１つに応じて前記エッジ画素に重み付けするために使用される、請求項８に記載の装置。
【請求項１１】
前記ＰＡＦＦ判定を、グループ・オブ・フレーム（ｇｒｏｕｐ  ｏｆ  ｆｒａｍｅ）タイプ、現在のピクチャと以前の参照ピクチャの間の絶対差、マクロブロック特性、フレーム分散、およびマクロブロック分散から選択される少なくとも１つを含むその他の基準と組み合わせる、請求項６に記載の装置。
【請求項１２】
前記ＰＡＦＦ判定が、ＧＯＰレベルで、現在のＧＯＰ内の全てのフレームに対して実行され、フィールド・モードで符号化すると決定されたフレームの数が事前に指定された割合より多い場合には、現在のＧＯＰに対してフィールド・モードが使用され、そうでない場合には、現在のＧＯＰに対してフレーム・モードが使用される、請求項６に記載の装置。
【請求項１３】
スーパー・マクロブロック（スーパーＭＢ）に分割可能な画像のビデオ・データをエンコードするビデオ・エンコーダであって、画像内の個々のスーパーＭＢをフィールド・モードに分類するかフレーム・モードに分類するかを判断する事前分析判定を、ピクチャ適応フレーム／フィールド（ＰＡＦＦ）モード選択およびマクロブロック適応フレーム／フィールド（ＭＢＡＦＦ）モード選択の両方に利用するエンコーダを含む、前記エンコーダ。
【請求項１４】
複数のマクロブロックをマクロブロック群として割り当てることができる、複数のマクロブロックに分割可能な画像のビデオ・データをエンコードする方法であって、
前記マクロブロック群の一部についてしきい値を超える動きを検出するステップと、
前記検出ステップにおいて前記しきい値を超える動きが検出されたかどうかに応じて、フレーム・モードまたはフィールド・モードの一方でのエンコードに前記マクロブロック群を割り当てるステップと、
を含む、前記方法。
【請求項１５】
画像のビデオ・データをエンコードする方法であって、
前記画像に垂直に適用される帯域通過／高域フィルタを使用して、前記画像内のスーパー・マクロブロック（スーパーＭＢ）をフレーム・モードまたはフィールド・モードの一方に分類するステップを含む、前記方法。
【請求項１６】
マクロブロック適応フレーム／フィールド（ＭＢＡＦＦ）決定に、前記帯域通過／高域フィルタによって得られた分類結果を利用するステップをさらに含む、請求項１５に記載の方法。
【請求項１７】
前記スーパーＭＢが複数の画素を含み、前記分類ステップが、
前記帯域通過／高域フィルタの適応性しきい値を使用して、前記複数の画素の少なくとも一部をエッジ画素として分類するステップと、
エッジ画素を加算してその合計を求めるステップと、
前記合計を別の事前に指定されたしきい値と比較して、前記スーパーＭＢがフレーム・モードに分類されるかフィールド・モードに分類されるかを判定するステップと、
を含む、請求項１５に記載の方法。
【請求項１８】
スーパー・マクロブロック（スーパーＭＢ）に分割可能な画像のビデオ・データをエンコードする方法であって、
スーパーＭＢに垂直に適用される帯域通過／高域フィルタを使用してピクチャ適応フレーム／フィールド（ＰＡＦＦ）判定を実行して、前記スーパーＭＢのそれぞれを画像内の動き領域または非動き領域として分類するステップを含み、
前記ＰＡＦＦ判定が、画像内の動き領域として分類されたスーパーＭＢの割合に基づいて行われる、前記方法。
【請求項１９】
前記帯域通過／高域フィルタが、エッジ検出フィルタである、請求項１８に記載の方法。
【請求項２０】
前記帯域通過／高域フィルタが、モーション・エッジを真のエッジと区別するように選択された適応性しきい値を使用する、請求項１８に記載の方法。
【請求項２１】
前記しきい値が、フレームごと、ＧＯＰ（Ｇｒｏｕｐ  ｏｆ  Ｐｉｃｔｕｒｅ）ごと、またはシーンごとに適応可能である、請求項２０に記載の方法。
【請求項２２】
前記帯域通過／高域フィルタが、１フィールド画像に適用され、前記適応性しきい値が、前記１フィールド画像内のエッジ画素の数が別のしきい値より小さい場合に選択される、請求項２０に記載の方法。
【請求項２３】
しきい値処理の前にスーパーＭＢ内での位置および隣接する画素との相関の少なくとも１つに応じて前記エッジ画素に重み付けするステップをさらに含む、請求項２１に記載の方法。
【請求項２４】
前記ＰＡＦＦ判定を、フレーム・タイプ、現在のピクチャと以前の参照ピクチャの間の絶対差、マクロブロック特性、フレーム分散、およびマクロブロック分散から選択される少なくとも１つを含むその他の基準と組み合わせる、請求項１８に記載の方法。
【請求項２５】
前記ＰＡＦＦ判定が、ＧＯＰレベルで、現在のＧＯＰ内の全てのフレームに対して実行され、フィールド・モードで符号化すると判定されたフレームの数が事前に指定された割合より多い場合には、現在のＧＯＰに対してフィールド・モードが使用され、そうでない場合には、現在のＧＯＰに対してフレーム・モードが使用される、請求項１８に記載の方法。
【請求項２６】
画像のビデオ・データをエンコードする方法であって、画像内の個々のスーパー・マクロブロック（スーパーＭＢ）をフィールド・モードに分類するかフレーム・モードに分類するかを判定する事前分析判定を、ピクチャ適応フレーム／フィールド（ＰＡＦＦ）モード選択およびマクロブロック適応フレーム／フィールド（ＭＢＡＦＦ）モード選択の両方に利用するステップを含む、前記方法。